(57)【特許請求の範囲】
【請求項１】
データ分割方法であって、
第１のデバイス（８０）により、第２のデバイス（９０）にデータ接続要求を送信するステップ（Ｓ１１）と、
前記第１のデバイスにより、複数の無線リンク内の少なくとも２つの無線リンクを介して、前記データ接続要求に従って前記第２のデバイスによって送信された分割データを受信するステップ（Ｓ１２）であって、前記少なくとも２つの無線リンクのうちの１つのリンクは、前記第１のデバイスと第３のデバイス（１００）との間に確立されるワイヤレスローカルエリアネットワーク（ＷＬＡＮ）リンクである、ステップと、
前記第１のデバイスにより、前記ＷＬＡＮリンクを介して前記第３のデバイスによって転送された、受信された分割データに対して、トンネルカプセル化解除を実行するステップと、
前記第１のデバイスにより、トンネルカプセル化解除が実行された後の前記受信された分割データ、および前記第２のデバイスから第３世代パートナーシッププロジェクト（３ＧＰＰ）リンクを通るべき分割データに対して、順序付けおよび組合せを実行して最終データを取得するステップと
を有する方法。
【請求項２】
トンネルカプセル化解除を実行する前記ステップが、前記受信された分割データのトンネルヘッダを廃棄してデータを抽出するステップを含む、請求項１に記載の方法。
【請求項３】
データ分割方法であって、
第２のデバイス（９０）により、第１のデバイス（８０）によって送信されたデータ接続要求を受信するステップ（Ｓ２１）と、
前記第２のデバイスにより、前記データ接続要求に従って、前記第１のデバイスと確立された複数の無線リンク内の少なくとも２つの無線リンクを介して、前記第１のデバイスに分割データを送信するステップ（Ｓ２２）と
を有し、
前記複数の無線リンク内の前記少なくとも２つの無線リンクは、異なる無線プロトコルを使用することによって確立された２つの無線リンクを含み、
前記複数の無線リンク内の前記少なくとも２つの無線リンクのうちの１つの無線リンクは、前記第１のデバイスにより、第３のデバイス（１００）を経由して前記第２のデバイスと確立されるワイヤレスローカルエリアネットワーク（ＷＬＡＮ）リンクであり、
前記第３のデバイスを経由して送信される前記分割データは、順序付けおよびトンネルカプセル化が実行されたデータである、方法。
【請求項４】
前記トンネルカプセル化が、トンネリングプロトコルを使用することによるトンネリング処理の実行を含む、請求項３に記載の方法。
【請求項５】
データ分割方法であって、
第３のデバイス（１００）により、前記第３のデバイスと第２のデバイス（９０）との間に確立された無線リンクを介して、第１のデバイス（８０）によって送信されたデータ接続要求に従って前記第２のデバイスによって送信された分割データを受信するステップ（Ｓ３１）であって、前記第２のデバイスによって送信された前記分割データは、順序付けおよびトンネルカプセル化が実行されたデータである、ステップと、
前記第３のデバイスにより、前記第３のデバイスと前記第１のデバイスとの間に確立された無線リンクを介して、前記第１のデバイスに前記分割データを送信するステップ（Ｓ３２）と
を有し、
前記第３のデバイスと前記第２のデバイスとの間に確立された前記無線リンク、および前記第３のデバイスと前記第１のデバイスとの間に確立された前記無線リンクは、異なるプロトコルを使用することによって確立された２つの無線リンクであり、
前記第３のデバイスと前記第１のデバイスとの間に確立された前記無線リンクは、ワイヤレスローカルエリアネットワーク（ＷＬＡＮ）リンクである、方法。
【請求項６】
前記トンネルカプセル化が、トンネリングプロトコルを使用することによるトンネリング処理の実行を含む、請求項５に記載の方法。
【請求項７】
データ分割デバイス（８０）であって、
第２のデバイスにデータ接続要求を送信するように構成された送信ユニット（８１）と、
複数の無線リンク内の少なくとも２つの無線リンクを介して、前記データ接続要求に従って前記第２のデバイスによって送信された分割データを受信するように構成された受信ユニット（８２）と、
第３のデバイスとワイヤレスローカルエリアネットワーク（ＷＬＡＮ）リンクを確立するように構成された第１リンク確立ユニット（８３）と、
前記第２のデバイスと第１の第３世代パートナーシッププロジェクト（３ＧＰＰ）リンクを確立するように構成された第２リンク確立ユニット（８４）と、
第２の３ＧＰＰリンクおよび前記ＷＬＡＮリンクを介して前記第３のデバイスによって転送された、前記受信ユニットによって受信された分割データに対して、トンネルカプセル化解除を実行し、トンネルカプセル化解除が実行された後の前記受信された分割データ、および前記第１の３ＧＰＰリンクを通るべき分割データに対して、順序付けおよび組合せを実行して最終データを取得するように構成された組合せユニット（８５）と
を具備し、
前記第２のデバイスは、前記第３のデバイスと前記第２の３ＧＰＰリンクを確立する、デバイス。
【請求項８】
前記トンネルカプセル化解除を実行することが、前記受信された分割データのトンネルヘッダを廃棄してデータを抽出することを含む、請求項７に記載のデバイス。
【請求項９】
データ分割デバイス（９０）であって、
第１のデバイスによって送信されたデータ接続要求を受信するように構成された受信ユニット（９１）と、
前記データ接続要求に従って、前記第１のデバイスと確立された複数の無線リンク内の少なくとも２つの無線リンクを介して、前記第１のデバイスに分割データを送信するように構成された送信ユニット（９２）と
を具備し、
前記複数の無線リンク内の前記少なくとも２つの無線リンクは、異なる無線プロトコルを使用することによって確立された２つの無線リンクを含み、
前記複数の無線リンク内の前記少なくとも２つの無線リンクのうちの１つの無線リンクは、前記第１のデバイスにより、第３のデバイスを経由して前記デバイスと確立されるワイヤレスローカリエリアネットワーク（ＷＬＡＮ）リンクであり、
前記第３のデバイスを経由して送信される前記分割データは、順序付けおよびトンネルカプセル化が実行されたデータである、デバイス。
【請求項１０】
前記トンネルカプセル化が、トンネリングプロトコルを使用することによるトンネリング処理の実行を含む、請求項９に記載のデバイス。
【請求項１１】
データ分割デバイス（１００）であって、
前記デバイスと第２のデバイスとの間に確立された無線リンクを介して、第１のデバイスによって送信されたデータ接続要求に従って前記第２のデバイスによって送信された分割データを受信するように構成された受信ユニット（１００１）であって、前記第２のデバイスによって送信された前記分割データは、順序付けおよびトンネルカプセル化が実行されたデータである、受信ユニットと、
前記デバイスと前記第１のデバイスとの間に確立された無線リンクを介して、前記第１のデバイスに前記分割データを送信するように構成された送信ユニット（１００２）と、
前記第１のデバイスとワイヤレスローカルエリアネットワーク（ＷＬＡＮ）リンクを確立するように構成された第１のリンク確立ユニット（１００３）と、
前記第２のデバイスと第２の第３世代パートナーシッププロジェクト（３ＧＰＰ）リンクを確立するように構成された第２のリンク確立ユニット（１００４）と
を具備するデバイス。
【請求項１２】
前記トンネルカプセル化が、トンネリングプロトコルを使用することによるトンネリング処理の実行を含む、請求項１１に記載のデバイス。
【請求項１３】
請求項１から６のいずれか一項に記載の方法をコンピュータに実行させるプログラム。
【請求項１４】
請求項７または８に記載のデバイスである、第１のデータ分割デバイスと、
請求項９または１０に記載のデバイスである、第２のデータ分割デバイスと、
請求項１１または１２に記載のデバイスである、第３のデータ分割デバイスと
を含む通信システム。
【発明の詳細な説明】
【技術分野】
【０００１】
本発明は、ワイヤレス通信の分野に関し、詳細には、データ分割の方法およびデバイスに関する。
【背景技術】
【０００２】
ワイヤレス通信技術およびインターネット技術の発展、インテリジェント端末の人気の増大、および新しいメディアの絶え間のない出現とともに、ますます多くのユーザがデータサービスを使用することを選択し、ユーザは、サービスアクセスの帯域幅により高い要件を課す。
【０００３】
ワイヤレス通信技術が使用されるとき、データサービスとのユーザ体験は、サービスアクセスの帯域幅の量に密接に関係する。サービスアクセスの帯域幅が多く存在するとき、データサービスのユーザは、サービスアクセスの帯域幅が少ししか存在しないときよりも、速い応答および良好なユーザ体験を有する。したがって、必要とされるものは、どのようにしてユーザに割り振られるダウンリンクの帯域幅を増大させ、次いでデータサービスとのユーザ体験を改善するかという問題に対処するソリューションである。
【発明の概要】
【課題を解決するための手段】
【０００４】
この点から見て、本発明の実施形態は、どのようにしてユーザに割り振られるダウンリンクの帯域幅を増大させるかという問題を解決するために、データ分割の方法およびデバイスを提供する。
【０００５】
第1の態様によれば、データ分割方法が提供され、方法は、第1のデバイスにより、第2のデバイスがデータ分割を実行するように第2のデバイスにデータ接続要求を送信するステップと、第1のデバイスにより、複数の無線リンク内の少なくとも2つの無線リンクを介して、データ接続要求に従って第2のデバイスによって送信された分割データを受信するステップとを含み、第1のデバイスは、第3のデバイスを経由して、第2のデバイスと2つの無線リンクのうちの1つのリンクを確立し、複数の無線リンク内の少なくとも2つの無線リンクは、異なる無線プロトコルを使用することによって確立された2つの無線リンクを含む。
【０００６】
第1の可能な実装形態では、複数の無線リンク内の少なくとも2つの無線リンクは、ワイヤレスローカルエリアネットワーク(WLAN)リンクおよび第3世代パートナーシッププロジェクト(3GPP)リンクを含む。
【０００７】
第1の態様または第1の態様の第1の可能な実装形態を参照すると、第2の可能な実装形態では、第1のデバイスにより、第3のデバイスとWLANリンクを確立し、第3のデバイスからWLANリンクの割り振られたIPアドレスおよび第3のデバイスのWLANのサービスセット識別子(SSID)を獲得するステップと、第1のデバイスにより、第2のデバイスと第1の3GPPリンクを確立するステップとを実行し、第2のデバイスは、第3のデバイスと第2の3GPPリンクを確立する。
【０００８】
第1の態様の第2の可能な実装形態を参照すると、第3の可能な実装形態では、第1のデバイスにより、第2のデバイスにデータ接続要求を送信するステップは、第1のデバイスにより、第1の3GPPリンクを介して第2のデバイスにデータリンク要求を送信するステップを含む。
【０００９】
第1の態様の第3の可能な実装形態を参照すると、第4の可能な実装形態では、第1のデバイスにより、第1のデバイスのWLANリンクのIPアドレスおよび第3のデバイスのWLANのサービスセット識別子(SSID)を第2のデバイスに送信するステップを実行する。
【００１０】
第1の態様の第4の可能な実装形態を参照すると、第5の可能な実装形態では、第1のデバイスにより、第2の3GPPリンクおよびWLANリンクを介して第3のデバイスによって転送された、受信された分割データに対して、トンネルカプセル化解除を実行し、トンネルカプセル化解除が実行された後の受信された分割データ、および第1の3GPPリンクを通るべき(be to pass through)分割データに対して、順序付けおよび組合せを実行して最終データを取得するステップを実行する。
【００１１】
第1の態様の第2の可能な実装方式を参照すると、第6の可能な実装方式では、第1のデバイスにより、第2のデバイスにデータ接続要求を送信するステップは、第1のデバイスにより、第3のデバイスと確立されたWLANリンクを介して、第3のデバイスを経由して第2のデバイスにデータリンク要求を送信するステップを含む。
【００１２】
第1の態様の第6の可能な実装形態を参照すると、第7の可能な実装形態では、第1のデバイスにより、第1のデバイスのWLANリンクのIPアドレスおよび第3のデバイスのWLANのサービスセット識別子(SSID)を第2のデバイスに送信するステップを実行する。
【００１３】
第1の態様の第7の可能な実装形態を参照すると、第8の可能な実装形態では、第1のデバイスにより、第2の3GPPリンクおよびWLANリンクを介して第3のデバイスによって転送された、受信された分割データ、ならびに第1の3GPPリンクを通るべき分割データに対して、順序付けおよび組合せを実行して最終データを取得するステップを実行する。
【００１４】
第1の態様または第1の態様の上記の実装形態のうちの任意の1つを参照すると、第9の可能な実装形態では、第1のデバイスにより、第2のデバイスにシグナリングを送信するステップを実行し、シグナリングは、第1のデバイスがデータ同時発生機能をサポートすることを示すために使用される。
【００１５】
第2の態様によれば、データ分割方法が提供され、方法は、第2のデバイスにより、第1のデバイスによって送信されたデータ接続要求を受信するステップと、第2のデバイスにより、データ接続要求に従って、第1のデバイスと確立された複数の無線リンク内の少なくとも2つの無線リンクを介して、第1のデバイスに分割データを送信するステップとを含み、複数の無線リンク内の少なくとも2つの無線リンクは、異なる無線プロトコルを使用することによって確立された2つの無線リンクを含み、複数の無線リンク内の少なくとも2つの無線リンクのうちの1つの無線リンクは、第1のデバイスにより、第3のデバイスを経由して第2のデバイスと確立される。
【００１６】
第1の可能な実装形態では、複数の無線リンク内の少なくとも2つの無線リンクは、ワイヤレスローカルエリアネットワーク(WLAN)リンクおよび第3世代パートナーシッププロジェクト(3GPP)リンクを含む。
【００１７】
第2の態様または第2の態様の第1の可能な実装形態を参照すると、第2の可能な実装形態では、第2のデバイスにより、第1のデバイスと第1の3GPPリンクを確立し、第2のデバイスにより、第3のデバイスと第2の3GPPリンクを確立するステップを実行し、第1のデバイスは、第3のデバイスとWLANリンクを確立し、第3のデバイスから、第1のデバイスのWLANリンクの割り振られたIPアドレス、および第3のデバイスのWLANのサービスセット識別子(SSID)を獲得する。
【００１８】
第2の態様の第2の可能な実装形態を参照すると、第3の可能な実装形態では、第2のデバイスにより、第1の3GPPリンクを介して第1のデバイスによって送信された第1のデバイスのWLANリンクのIPアドレスおよび第3のデバイスのWLANのSSIDを受信し、第2のデバイスにより、第2の3GPPリンクを介して第3のデバイスによって送信された第3のデバイスのWLANのSSIDを受信するステップと、第2のデバイスにより、第1のデバイスおよび第3のデバイスによって送信された第3のデバイスのWLANのSSIDの間の対応関係に従って、データ分割に使用されるべき無線リンクを特定するステップとを実行する。
【００１９】
第2の態様の第3の可能な実装形態を参照すると、第4の可能な実装形態では、第2のデバイスにより、第2の3GPPリンクおよびWLANリンクを介して第3のデバイスによって転送されるべき分割データに対して、順序追加およびトンネルカプセル化を実行し、WLANリンクのIPアドレスを宛先IPアドレスとして使用することによって、分割データを配信するステップと、第2のデバイスにより、第1の3GPPリンクを通るべき分割データに対して順序追加を実行し、分割データを配信するステップとを実行する。
【００２０】
第2の態様の第3の可能な実装形態を参照すると、第5の可能な実装形態では、第2のデバイスにより、第1の3GPPリンクを介して第1のデバイスによって送信された第1のデバイスのWLANリンクのIPアドレスおよび第3のデバイスのWLANのSSID、ならびにWLANリンクを介してサービスを確立するために使用されるWLANポート番号を受信し、第2のデバイスにより、第2の3GPPリンクを介して第3のデバイスによって送信された第3のデバイスのWLANのSSIDを受信するステップと、第2のデバイスにより、第1のデバイスおよび第3のデバイスによって送信された第3のデバイスのWLANのSSIDの間の対応関係に従って、データ分割に使用されるべき無線リンクを特定するステップとを実行する。
【００２１】
第2の態様の第5の可能な実装形態を参照すると、第6の可能な実装形態では、第2のデバイスにより、第1の3GPPリンクを通るべき分割データに対して順序追加を実行し、宛先IPアドレスをWLANリンクのIPアドレスに変更し、WLANリンクを介してサービスを確立するために使用されるWLANポート番号をポートとして使用することによって、第1のデバイスに分割データを送信するステップと、WLANリンクを介して第3のデバイスを経由して、第2の3GPPリンクを通るべき分割データを第1のデバイスに送信するステップとを実行する。
【００２２】
第3の態様によれば、データ分割方法が提供され、方法は、第3のデバイスにより、第3のデバイスと第2のデバイスとの間に確立された無線リンクを介して、第1のデバイスによって送信されたデータ接続要求に従って第2のデバイスによって送信された分割データを受信するステップと、第3のデバイスにより、第3のデバイスと第1のデバイスとの間に確立された無線リンクを介して、第1のデバイスに分割データを送信するステップとを含み、第3のデバイスと第2のデバイスとの間に確立された無線リンク、および第3のデバイスと第1のデバイスとの間に確立された無線リンクは、異なるプロトコルを使用することによって確立された2つの無線リンクである。
【００２３】
第1の可能な実装形態では、2つの無線リンクは、それぞれ第3のデバイスと第1のデバイスとの間に確立されたワイヤレスローカルエリアネットワークWLANリンク、および第3のデバイスと第2のデバイスとの間に確立された第2の第3世代パートナーシッププロジェクト3GPPリンクである。
【００２４】
第3の態様または第3の態様の第1の可能な実装形態を参照すると、第2の可能な実装形態では、第1のデバイスとWLANリンクを確立した後、第3のデバイスにより、第1のデバイスのWLANリンクのIPアドレスを第1のデバイスに割り振り、第3のデバイスのWLANのSSIDを第1のデバイスに送信するステップを実行する。
【００２５】
第3の態様の第2の可能な実装形態を参照すると、第3の可能な実装形態では、第3のデバイスにより、第2の3GPPリンクを介して第2のデバイスに第3のデバイスのWLANのSSIDを送信するステップ、または第3のデバイスにより、第2の3GPPリンクを介して第2のデバイスに第3のデバイスのWLANのSSIDを送信し、第1のデバイスのWLANリンクのIPアドレスと第2の3GPPリンクとの間の対応関係を確立するステップを実行する。
【００２６】
第3の態様の第3の可能な実装形態を参照すると、第4の可能な実装形態では、第3のデバイスにより、対応関係に従い、第2の3GPPリンクを介して、WLANリンクを介して第2のデバイスに第1のデバイスによって送信されたデータ接続要求を転送するステップを実行する。
【００２７】
第3の態様の第4の可能な実装形態を参照すると、第5の可能な実装形態では、第3のデバイスにより、第1のデバイスによって送信されたデータ接続要求に基づいて第2のデバイスによって送信された分割データを受信し、WLANリンクを介して第1のデバイスに分割データを転送するステップ、または第3のデバイスにより、第1のデバイスによって送信されたデータ接続要求に基づいて第2のデバイスによって送信された分割データを受信し、対応関係に従ってWLANリンクを介して第1のデバイスに分割データを送信するステップを実行する。
【００２８】
第4の態様によれば、データ分割デバイスが提供され、デバイスは、送信ユニットおよび受信ユニットを含み、送信ユニットは、第2のデバイスがデータ分割を実行するように第2のデバイスにデータ接続要求を送信するように構成され、受信ユニットは、複数の無線リンク内の少なくとも2つの無線リンクを介して、データ接続要求に従って第2のデバイスによって送信された分割データを受信するように構成され、デバイスは、第3のデバイスを経由して、第2のデバイスと2つの無線リンクのうちの1つのリンクを確立し、複数の無線リンク内の少なくとも2つの無線リンクは、異なる無線プロトコルを使用することによって確立された2つの無線リンクを含む。
【００２９】
第1の可能な実装形態では、デバイスは第1のリンク確立ユニットおよび第2のリンク確立ユニットをさらに含み、第1のリンク確立ユニットは、第3のデバイスとワイヤレスローカルエリアネットワークWLANリンクを確立するように構成され、第2のリンク確立ユニットは、第2のデバイスと第1の第3世代パートナーシッププロジェクト3GPPリンクを確立するように構成され、第2のデバイスは第3のデバイスと第2の3GPPリンクを確立する。
【００３０】
第5の態様によれば、データ分割デバイスが提供され、デバイスは、受信ユニットおよび送信ユニットを含み、受信ユニットは、第1のデバイスによって送信されたデータ接続要求を受信するように構成され、送信ユニットは、データ接続要求に従って、第1のデバイスと確立された複数の無線リンク内の少なくとも2つの無線リンクを介して、第1のデバイスに分割データを送信するように構成され、複数の無線リンク内の少なくとも2つの無線リンクは、異なる無線プロトコルを使用することによって確立された2つの無線リンクを含み、複数の無線リンク内の少なくとも2つの無線リンクのうちの1つの無線リンクは、第1のデバイスにより、第3のデバイスを経由してデバイスと確立される。
【００３１】
第1の可能な実装形態では、複数の無線リンク内の少なくとも2つの無線リンクは、ワイヤレスローカルエリアネットワークWLANリンクおよび第3世代パートナーシッププロジェクト3GPPリンクを含む。
【００３２】
第6の態様によれば、データ分割デバイスが提供され、デバイスは、受信ユニットおよび送信ユニットを含み、受信ユニットは、デバイスと第2のデバイスとの間に確立された無線リンクを介して、第1のデバイスによって送信されたデータ接続要求に従って第2のデバイスによって送信された分割データを受信するように構成され、送信ユニットは、デバイスと第1のデバイスとの間に確立された無線リンクを介して、第1のデバイスに分割データを送信するように構成され、デバイスと第2のデバイスとの間に確立された無線リンク、およびデバイスと第1のデバイスとの間に確立された無線リンクは、異なるプロトコルを使用することによって確立された2つの無線リンクである。
【００３３】
第1の可能な実装形態では、デバイスは第1のリンク確立ユニットおよび第2のリンク確立ユニットをさらに含み、第1のリンク確立ユニットは、第1のデバイスとワイヤレスローカルエリアネットワークWLANリンクを確立するように構成され、第2のリンク確立ユニットは、第2のデバイスと第2の第3世代パートナーシッププロジェクト3GPPリンクを確立するように構成される。
【００３４】
第7の態様によれば、データ分割デバイスが提供され、デバイスは、送信装置、受信装置、およびプロセッサを含み、プロセッサは、データ接続要求を生成し、送信装置にデータ接続要求を送信するように構成され、送信装置は、第2のデバイスがデータ分割を実行するように第2のデバイスにデータ接続要求を送信するように構成され、受信装置は、複数の無線リンク内の少なくとも2つの無線リンクを介して、データ接続要求に従って第2のデバイスによって送信された分割データを受信するように構成され、デバイスは、第3のデバイスを経由して、第2のデバイスと2つの無線リンクのうちの1つのリンクを確立し、複数の無線リンク内の少なくとも2つの無線リンクは、異なる無線プロトコルを使用することによって確立された2つの無線リンクを含む。
【００３５】
第1の可能な実装形態では、プロセッサは、第3のデバイスとワイヤレスローカルエリアネットワークWLANリンクを確立し、第2のデバイスと第1の第3世代パートナーシッププロジェクト3GPPリンクを確立するようにさらに構成され、第2のデバイスは第3のデバイスと第2の3GPPリンクを確立する。
【００３６】
第8の態様によれば、データ分割デバイスが提供され、デバイスは、受信装置、送信装置、およびプロセッサを含み、受信装置は、第1のデバイスによって送信されたデータ接続要求を受信し、プロセッサにデータ接続要求を送信するように構成され、プロセッサは、データ接続要求に従って、第1のデバイスと確立された複数の無線リンク内の少なくとも2つの無線リンクを介して、第1のデバイスに分割データを送信することを送信装置に命令するように構成され、複数の無線リンク内の少なくとも2つの無線リンクは、異なる無線プロトコルを使用することによって確立された2つの無線リンクを含み、複数の無線リンク内の少なくとも2つの無線リンクのうちの1つの無線リンクは、第1のデバイスにより、第3のデバイスを経由してデバイスと確立される。
【００３７】
第1の可能な実装形態では、複数の無線リンク内の少なくとも2つの無線リンクは、ワイヤレスローカルエリアネットワークWLANリンクおよび第3世代パートナーシッププロジェクト3GPPリンクを含む。
【００３８】
第9の態様によれば、データ分割デバイスが提供され、デバイスは、受信装置、送信装置、およびプロセッサを含み、受信装置は、デバイスと第2のデバイスとの間に確立された無線リンクを介して、第1のデバイスによって送信されたデータ接続要求に従って第2のデバイスによって送信された分割データを受信し、プロセッサに分割データを送信するように構成され、プロセッサは、デバイスと第1のデバイスとの間に確立された無線リンクを介して、受信装置によって受信された分割データを第1のデバイスに送信することを送信装置に命令するように構成され、デバイスと第2のデバイスとの間に確立された無線リンク、およびデバイスと第1のデバイスとの間に確立された無線リンクは、異なるプロトコルを使用することによって確立された2つの無線リンクである。
【００３９】
第1の可能な実装形態では、プロセッサは、第1のデバイスとワイヤレスローカルエリアネットワークWLANリンクを確立し、第2のデバイスと第2の第3世代パートナーシッププロジェクト3GPPリンクを確立するようにさらに構成される。
【００４０】
上記の技術的解決策によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【００４１】
本発明の実施形態における技術的解決策をより明確に記載するために、以下で、実施形態を記載するために必要な添付の図面を簡単に紹介する。見掛け上、以下の説明における添付の図面は、本発明のいくつかの実施形態を示すにすぎず、当業者は、創造的な努力なしに、これらの添付の図面から他の図面をさらに導出することができる。
【図面の簡単な説明】
【００４２】
【図１】本発明の第1実施形態による、第1のデバイスのためのデータ分割方法の概略的なフローチャートである。
【図２】本発明の第1実施形態による、第2のデバイスのためのデータ分割方法の概略的なフローチャートである。
【図３】本発明の第1実施形態による、第3のデバイスのためのデータ分割方法の概略的なフローチャートである。
【図４Ａ】本発明の第2実施形態による、データ分割のアプリケーションシナリオを描写する概略図である。
【図４Ｂ】本発明の第2実施形態による、データ分割のアプリケーションシナリオを描写する概略図である。
【図５】本発明の第2実施形態による、データ分割方法の概略的な対話図である。
【図６Ａ】本発明の第3実施形態による、データ分割のアプリケーションシナリオを描写する概略図である。
【図６Ｂ】本発明の第3実施形態による、データ分割のアプリケーションシナリオを描写する概略図である。
【図７】本発明の第3実施形態による、データ分割方法の概略的な対話図である。
【図８Ａ】本発明の第4実施形態による、データ分割用の第1のデバイスを示す概略的なブロック図である。
【図８Ｂ】本発明の第4実施形態による、データ分割用の第1のデバイスを示す概略的なブロック図である。
【図９Ａ】本発明の第5実施形態による、データ分割用の第2のデバイスを示す概略的なブロック図である。
【図９Ｂ】本発明の第5実施形態による、データ分割用の第2のデバイスを示す概略的なブロック図である。
【図１０Ａ】本発明の第6実施形態による、データ分割用の第3のデバイスを示す概略的なブロック図である。
【図１０Ｂ】本発明の第6実施形態による、データ分割用の第3のデバイスを示す概略的なブロック図である。
【図１１】本発明の第7実施形態による、データ分割用の第3のデバイスを示す概略的なブロック図である。
【図１２】本発明の第8実施形態による、データ分割用の第3のデバイスを示す概略的なブロック図である。
【図１３】本発明の第9実施形態による、データ分割用の第3のデバイスを示す概略的なブロック図である。
【発明を実施するための形態】
【００４３】
これより、本発明の実施形態における添付の図面を参照して、本発明の実施形態における技術的解決策を明確に記載する。見掛け上、記載される実施形態は、本発明の実施形態のすべてではなく、一部である。創造的な努力なしに本発明の実施形態に基づいて、当業者によって取得される他のすべての実施形態は、本発明の保護範囲に入るべきである。
【００４４】
本発明の技術的解決策は、モバイル通信用グローバルシステム(GSM(登録商標)、Global System for Mobile Communications)、符号分割多元接続(CDMA、Code Division Multiple Access)システム、広帯域符号分割多元接続(WCDMA(登録商標)、Wideband Code Division Multiple Access)システム、汎用パケット無線サービス(GPRS、General Packet Radio Service)システム、およびロングタームエボリューション(LTE、Long Term Evolution)システムなどの、様々な通信システムに適用することができる。
【００４５】
ユーザ機器(UE、User Equipment)は、モバイル端末(Mobile Terminal)、モバイルユーザ機器などとも呼ばれ、無線アクセスネットワーク(たとえば、RAN、Radio Access Network)を介して、1つまたは複数のコアネットワークと通信することができる。ユーザ機器は、(「セルラー」電話とも呼ばれる)モバイル電話などのモバイル端末、およびモバイル端末を有するコンピュータであり得る。たとえば、ユーザ機器は、携帯式、ポケットサイズ、ハンドヘルド、コンピュータ内蔵、または車載のモバイル装置であり、無線アクセスネットワークと言語および/またはデータを交換する。
【００４６】
基地局は、GSM(登録商標)またはCDMA内の基地局(BTS、Base Transceiver Station)であり得るか、またはWCDMA(登録商標)内の基地局(NodeB)であり得るか、またはLTE内の発展型NodeB(eNBもしくはe-NodeB、evolved NodeB)であり得るし、本発明では限定されない。しかしながら、説明しやすいように、以下の実施形態は、例として基地局(NodeB)を使用することによって記載される。
【００４７】
現在、端末のユーザは、ワイヤレスローカルエリアネットワーク(WLAN、Wireless Local Area Network)のアクセスポイント(Access Point、略してAP)を経由して、または3GPP(the 3rd Generation Partnership Project、第3世代パートナーシッププロジェクト)技術もしくはブルートゥース(Bluetooth(登録商標))技術を使用することによって、単一のリンクのみを介してモバイルネットワークにアクセスすることができる。ユーザに割り振られるべき帯域幅は、単一のリンク上の帯域幅に限定され、ユーザの増大する帯域幅要件を満たすことができない。本発明の実施形態は、異なるリンクを介して1つまたは複数のサービスを実装することができる新しいアイデアを提供し、その結果、ユーザに割り振られるべき帯域幅が2つのリンク上の帯域幅の和に増大され、単位時間当たりにダウンロードされるデータサービスのトラフィックが増大され、データサービスとのユーザ体験が向上する。説明しやすいように、本発明のいくつかの実施形態は、例としてWLAN技術および3GPP技術を使用することによって記載される。
【００４８】
図1は、本発明の第1実施形態による、第1のデバイスのためのデータ分割方法を描写する概略的なフローチャートであり、以下の内容をカバーする。方法は、第1のデバイス、たとえばUEによって実行される。
【００４９】
S11:第1のデバイスは、第2のデバイスがデータ分割を実行するように第2のデバイスにデータ接続要求を送信する。
【００５０】
このステップの前に、第1のデバイスは、第2のデバイスにシグナリングを送信し、シグナリングは、第1のデバイスが同時発生機能をサポートすることを示すために使用される。第2のデバイスはまた、他の方式で、第1のデバイスが同時発生機能をサポートすることを知ることができる。本出願では、第1のデバイスが同時発生機能をサポートすることが述べられたとき、それは、第1のデバイスが少なくとも2つの異なる無線リンクを介して、データを同時に受信または送信できることを意味する。同時発生機能のサポートでは、第1のデバイスは、この時点で第2のデバイスと1つの無線リンクのみを確立し、後で別の無線リンクを確立する。代替として、第1のデバイスは、この時点で第2のデバイスと複数の無線リンクを確立している。
【００５１】
S12:第1のデバイスは、複数の無線リンク内の少なくとも2つの無線リンクを介して、データ接続要求に従って第2のデバイスによって送信され、分割戦略に従って分割されたデータを受信し、第3のデバイスを経由して、第2のデバイスと2つの無線リンクのうちの1つのリンクを確立し、複数の無線リンク内の少なくとも2つの無線リンクは、異なる無線プロトコルを使用することによって確立された2つの無線リンクを含む。
【００５２】
無線プロトコルは、複数のタイプを含み、複数の技術、たとえば3GPP、ブルートゥース、およびWLANをサポートする。ユーザ機器は、複数の無線プロトコルを使用することによって、異なるプロトコルによってサポートされる少なくとも2つの無線リンクを確立することができる。たとえば、ユーザ機器が3GPPリンクおよびWLANリンクを含む少なくとも2つのリンクを確立したとき、上記の無線リンクを介してデータを受信または送信することは、WLANと3GPPの同時発生機能を実装することと呼ばれる。
【００５３】
本発明のこの実施形態によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【００５４】
場合によっては、異なる実施形態として、複数の無線リンク内の少なくとも2つの無線リンクは、ワイヤレスローカルエリアネットワーク(WLAN)リンクおよび第3世代パートナーシッププロジェクト(3GPP)リンクを含む。
【００５５】
場合によっては、異なる実施形態として、第1のデバイスは、第3のデバイスとWLANリンクを確立し、第3のデバイスから、WLANリンクの割り振られたIPアドレスおよび第3のデバイスのWLANのSSIDを獲得し、第2のデバイスと第1の3GPPリンクを確立し、第2のデバイスは、第3のデバイスと第2の3GPPリンクを確立する。
【００５６】
場合によっては、異なる実施形態として、第1のデバイスは、第1の3GPPリンクを介して第2のデバイスにデータリンク要求を送信する。
【００５７】
場合によっては、異なる実施形態として、第1のデバイスは、第1のデバイスのWLANリンクのIPアドレスおよび第3のデバイスのWLANのSSIDを第2のデバイスに送信する。
【００５８】
場合によっては、異なる実施形態として、第1のデバイスは、第2の3GPPリンクおよびWLANリンクを介して第3のデバイスによって転送された、受信された分割データに対して、トンネルカプセル化解除を実行し、トンネルカプセル化解除が実行された後の受信された分割データ、および第1の3GPPリンクを通るべき分割データに対して、順序付けおよび組合せを実行して最終データを取得する。
【００５９】
場合によっては、異なる実施形態として、第1のデバイスは、第3のデバイスと確立されたWLANリンクを介して、第3のデバイスを経由して第2のデバイスにデータリンク要求を送信する。
【００６０】
場合によっては、異なる実施形態として、第1のデバイスは、第1のデバイスのWLANリンクのIPアドレスおよび第3のデバイスのWLANのSSIDを第2のデバイスに送信する。
【００６１】
場合によっては、異なる実施形態として、第1のデバイスは、第2の3GPPリンクおよびWLANリンクを介して第3のデバイスによって転送された、受信された分割データ、ならびに第1の3GPPリンクを通るべき分割データに対して、順序付けおよび組合せを実行して最終データを取得する。
【００６２】
場合によっては、異なる実施形態として、第1のデバイスは、第2のデバイスにシグナリングを送信し、シグナリングは、第1のデバイスがデータ同時発生機能をサポートすることを示すために使用される。
【００６３】
異なる実施形態として、本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。
【００６４】
図2は、本発明の第1実施形態による、第2のデバイスのためのデータ分割方法を描写する概略的なフローチャートであり、以下の内容をカバーする。方法は、第2のデバイス、たとえばネットワーク側のデバイスRNCによって実行される。
【００６５】
S21:第2のデバイスは、第1のデバイスによって送信されたデータ接続要求を受信する。
【００６６】
このステップの前に、第1のデバイスは、第2のデバイスとのシグナリング対話を実行し、シグナリングは、第1のデバイスが同時発生機能をサポートすることを示すために使用される。同時発生機能のサポートでは、第1のデバイスは、この時点で第2のデバイスと1つの無線リンクのみを確立し、後で別の無線リンクを確立する。代替として、第1のデバイスは、この時点で第2のデバイスと複数の無線リンクを確立している。
【００６７】
S22:第2のデバイスは、データ接続要求に従い、第1のデバイスと確立された複数の無線リンク内の少なくとも2つの無線リンクを介して、分割戦略に従って分割されたデータを第1のデバイスに送信し、第1のデバイスは、第3のデバイスを経由して、第2のデバイスと2つの無線リンクのうちの1つを確立し、複数の無線リンク内の少なくとも2つの無線リンクは、異なる無線プロトコルを使用することによって確立された2つの無線リンクを含む。
【００６８】
本発明のこの実施形態によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【００６９】
場合によっては、異なる実施形態として、複数の無線リンク内の少なくとも2つの無線リンクは、ワイヤレスローカルエリアネットワーク(WLAN)リンクおよび第3世代パートナーシッププロジェクト(3GPP)リンクを含む。
【００７０】
場合によっては、異なる実施形態として、第2のデバイスは、第1のデバイスと第1の3GPPリンクを確立し、第2のデバイスは、第3のデバイスと第2の3GPPリンクを確立し、第1のデバイスは、第3のデバイスとWLANリンクを確立し、第3のデバイスから、第1のデバイスのWLANリンクの割り振られたIPアドレス、および第3のデバイスのWLANのSSIDを獲得する。
【００７１】
場合によっては、異なる実施形態として、第2のデバイスは、第1の3GPPリンクを介して第1のデバイスによって送信された第1のデバイスのWLANリンクのIPアドレスおよび第3のデバイスのWLANのSSIDを受信し、第2のデバイスは、第2の3GPPリンクを介して第3のデバイスによって送信された第3のデバイスのWLANのSSIDを受信し、第1のデバイスおよび第3のデバイスによって送信された第3のデバイスのWLANのSSIDの間の対応関係に従って、データ分割に使用されるべき無線リンクを特定する。
【００７２】
場合によっては、異なる実施形態として、第2のデバイスは、第2の3GPPリンクおよびWLANリンクを介して第3のデバイスによって転送されるべき分割データに対して、順序追加およびトンネルカプセル化を実行し、WLANリンクのIPアドレスを宛先IPアドレスとして使用することによって分割データを配信し、第1の3GPPリンクを通るべき分割データに対して順序追加を実行し、分割データを配信する。
【００７３】
場合によっては、異なる実施形態として、第2のデバイスは、第1の3GPPリンクを介して第1のデバイスによって送信された第1のデバイスのWLANリンクのIPアドレスおよび第3のデバイスのWLANのSSID、ならびにWLANリンクを介してサービスを確立するために使用されるWLANポート番号を受信し、第2の3GPPリンクを介して第3のデバイスによって送信された第3のデバイスのWLANのSSIDを受信し、第1のデバイスおよび第3のデバイスによって送信された第3のデバイスのWLANのSSIDの間の対応関係に従って、データ分割に使用されるべき無線リンクを特定する。
【００７４】
場合によっては、異なる実施形態として、第2のデバイスは、第1の3GPPリンクを通るべき分割データに対して順序追加を実行し、宛先IPアドレスをWLANリンクのIPアドレスに変更し、WLANリンクを介してサービスを確立するために使用されるWLANポート番号をポートとして使用することによって、第1のデバイスに分割データを送信し、WLANリンクを介して第3のデバイスを経由して、第2の3GPPリンクを通るべき分割データを第1のデバイスに送信する。
【００７５】
異なる実施形態として、本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。
【００７６】
図3は、本発明の第1実施形態による、第3のデバイスのためのデータ分割方法を描写する概略的なフローチャートであり、以下の内容をカバーする。方法は、第3のデバイス、たとえば図1のUEとは異なる別のUEによって実行される。
【００７７】
S31:第3のデバイスは、第3のデバイスと第2のデバイスとの間に確立された無線リンクを介して、第1のデバイスによって送信されたデータ接続要求に従って第2のデバイスによって送信された分割データを受信する。
【００７８】
S32:第3のデバイスは、第3のデバイスと第1のデバイスとの間に確立された無線リンクを介して、第1のデバイスに分割データを送信し、第3のデバイスと第2のデバイスとの間に確立された無線リンク、および第3のデバイスと第1のデバイスとの間に確立された無線リンクは、異なるプロトコルを使用することによって確立された2つの無線リンクである。
【００７９】
本発明のこの実施形態によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【００８０】
場合によっては、異なる実施形態として、ワイヤレスローカルエリアネットワーク(WLAN)リンクが、第3のデバイスと第1のデバイスとの間に確立され、第2の第3世代パートナーシッププロジェクト(3GPP)リンクが、第3のデバイスと第2のデバイスとの間に確立される。
【００８１】
場合によっては、異なる実施形態として、第1のデバイスとWLANリンクを確立した後、第3のデバイスは、第1のデバイスのWLANリンクのIPアドレスを第1のデバイスに割り振り、第3のデバイスのWLANのSSIDを第1のデバイスに送信する。
【００８２】
場合によっては、異なる実施形態として、第3のデバイスは、第2の3GPPリンクを介して第2のデバイスに第3のデバイスのWLANのSSIDを送信するか、または第2の3GPPリンクを介して第2のデバイスに第3のデバイスのWLANのSSIDを送信し、第1のデバイスのWLANリンクのIPアドレスと第2の3GPPリンクとの間の対応関係を確立する。
【００８３】
場合によっては、異なる実施形態として、第3のデバイスは、対応関係に従い、第2の3GPPリンクを介して、WLANリンクを介して第2のデバイスに第1のデバイスによって送信されたデータ接続要求を転送する。
【００８４】
場合によっては、異なる実施形態として、第3のデバイスは、第1のデバイスによって送信されたデータ接続要求に基づいて第2のデバイスによって送信された分割データを受信し、WLANリンクを介して第1のデバイスに分割データを転送するか、または第1のデバイスによって送信されたデータ接続要求に基づいて第2のデバイスによって送信された分割データを受信し、対応関係に従ってWLANリンクを介して第1のデバイスに分割データを送信する。
【００８５】
異なる実施形態として、本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。
【００８６】
図4Aおよび図4Bは、本発明の第2実施形態による、データ分割の2つのアプリケーションシナリオを示す概略図である。第1のデバイス41はUE1であり、第2のデバイス42はRNCであり、第3のデバイス43はUE2であり、第3のデバイスは第1のデバイスのWLANのAPである。
【００８７】
図4Aでは、第1のデバイスはセルのエッジユーザである。第1のデバイスは、基地局44を経由して第2のデバイスと第1の無線リンク402を確立し、それは3GPPリンクである。第1のデバイスは、第3のデバイスとWLANリンクを確立する。第3のデバイスは、基地局44を経由して第2のデバイスと3GPPリンクを確立する。第1のデバイスは、第3のデバイスと確立されたWLANリンク、および第3のデバイスにより第2のデバイスと確立された3GPPリンクを使用することによって、第2のデバイスと第2の無線リンク403を確立する。
【００８８】
図4Bでは、第1のデバイスおよび第3のデバイスは、異なるセルに属する。第1のデバイスは、基地局45を経由して第2のデバイスと第1の無線リンク402を確立し、それは3GPPリンクである。第1のデバイスは、第3のデバイスとWLANリンクを確立する。第3のデバイスは、基地局46を経由して第2のデバイスと3GPPリンクを確立する。第1のデバイスは、第3のデバイスと確立されたWLANリンク、および第3のデバイスにより第2のデバイスと確立された3GPPリンクを使用することによって、第2のデバイスと第2の無線リンク403を確立し、第2の無線リンク403は、第1のデバイスにより第3のデバイスと確立された上記のWLANリンク、および第3のデバイスにより第2のデバイスと確立された3GPPリンクを含む。
【００８９】
図4Aおよび図4Bのシナリオでは、第1のデバイスは、第1の無線リンクを介して第2のデバイスにデータ接続要求401を送信することができ、その要求は、分割方式でデータ送信を実行することを第2のデバイスに要求する。次いで、分割されたデータは、第1の無線リンクおよび第2の無線リンク、すなわち図に示された402および403を介して、別々に第1のデバイスに送信される。第1の無線リンクおよび第2の無線リンクは、データ分割に使用される無線リンクである。第1のデバイスは、上記の2つの無線リンクを介して3GPPとWLANの同時発生機能を実行することができ、このことは、第1のデバイスが第2のデバイスおよび第3のデバイスとそれぞれ確立された2つの無線接続を介して、データを同時に受信できるか、または同時に送信できることを意味する。
【００９０】
図4Aおよび図4Bのアプリケーションシナリオを参照すると、図5は、本発明の第2実施形態による、データ分割方法の概略対話図である。
【００９１】
S501:第1のデバイスは、第2のデバイスとの無線接続、たとえば3GPPリンクを確立する。
【００９２】
第1のデバイスは、第2のデバイスを経由してコアネットワークから、第1のデバイスに割り振られた第1の3GPPリンクのIPアドレスを獲得する。上記の3GPPリンクは、本明細書では第1の3GPPリンクとも呼ばれ、図4Aおよび図4Bの402に対応する。
【００９３】
S505:第1のデバイスは、第3のデバイスとの無線接続、たとえばWLANリンクを確立する。
【００９４】
この場合、第3のデバイスは、第1のデバイスのモバイルアクセスポイントとしてWLANのAPをセットし、第1のデバイスにWLANリンクのIPアドレスを割り振る。第1のデバイスは、同時に、第3のデバイスのWLANのSSIDを獲得する。
【００９５】
S510:第1のデバイスは、WLANリンクのIPアドレスおよび第3のデバイスのWLANのSSID(Service Set Identifier、サービスセット識別子)などの、第3のデバイスから獲得されたパラメータを第2のデバイスに送信する。異なるWLANのAPの場合、SSIDはBSSID(Basic SSID、基本サービスセット識別子)またはESSID(Extended SSID、拡張サービスセット識別子)であり得る。SSIDは、第3のデバイスをWLANのAPとして使用することによって形成されるWLANのパラメータである。第1のデバイスは、限定はしないが上記のパラメータを含む、特定のネットワーク環境に応じたパラメータを報告する。
【００９６】
WLAN技術の1つの使用事例では、複数の物理デバイスが1つのWLANのAPとして一緒に機能し、この場合、SSIDはESSIDであり、物理デバイスのうちの1つが第1のデバイスにWLANリンクのIPアドレスを割り振る。第2のデバイスは、第1のデバイスのWLANのMACアドレス、WLANリンクのIPアドレス、および第3のデバイスのWLANのESSIDを使用して、どの特定の物理デバイスが第1のデバイスとWLANリンクを確立する第3のデバイスであるかを判定する必要がある。その場合、第1のデバイスおよび第3のデバイスはさらに、第1のデバイスのWLANのMACアドレスを第2のデバイスに送信する必要がある。第3のデバイスが第1のデバイスとWLANリンクを確立したとき、第1のデバイスおよび第3のデバイスは、それらだけで第1のデバイスのWLANのMACアドレスを獲得することができる。
【００９７】
WLAN技術の別の使用事例では、1つの物理デバイスのみがWLANのAPとして機能し、その物理デバイスのWLANのSSIDはBSSIDである。第2のデバイスは、WLANリンクのIPアドレスおよびBSSIDのみを使用することによって、第3のデバイスを特定する必要がある。第1のデバイスは、第1の3GPPリンクを介して、WLANリンクの上記のIPアドレスおよび第3のデバイスのWLANのSSIDなどのパラメータを第2のデバイスに送信する。
【００９８】
S515:第3のデバイスは、第2のデバイスとの無線接続、たとえば3GPPリンクを確立する。
【００９９】
この3GPPリンクは、本明細書では第2の3GPPリンクとも呼ばれる。第1のデバイスは、第3のデバイスと確立されたWLANリンク、および第3のデバイスにより第2のデバイスと確立された3GPPリンクを使用することによって、第2のデバイスと第2の無線リンクを確立し、第2の無線リンクは図4Aおよび図4Bの403に対応する。
【０１００】
S520:第3のデバイスは、第3のデバイスのWLANのSSIDを第2のデバイスに送信する。
【０１０１】
第3のデバイスは、第3のデバイスのWLANのSSIDを第2のデバイスに送信し、それは第2のデバイスがデータ分割用の無線リンクを特定するために使用される。
【０１０２】
S522:第2のデバイスは、データ分割に使用されるべき無線リンクを特定する。
【０１０３】
第2のデバイスは、S510で、第1のデバイスのWLANリンクのIPアドレスおよび第3のデバイスのWLANのSSIDを知り、S520で、第3のデバイスのWLANのSSIDを知る。第3のデバイスのWLANのSSIDは一致しており、その結果、第2のデバイスは、第1のデバイスが第3のデバイスとWLANリンクを確立していると結論付ける。次いで、第2のデバイスは、第2のデバイス自体が、第1のデバイスおよび第3のデバイスと、それぞれ第1の3GPPリンクおよび第2の3GPPリンクを確立しているという事実をさらに考慮して、データ分割用に第1のデバイスに割り振られるべき無線リンク、すなわち図4のリンク402およびリンク403を特定する。
【０１０４】
S525:第1のデバイスは、第2のデバイスにデータ接続要求を送信する。
【０１０５】
データ接続要求は、図4Aおよび図4Bの401に対応する。場合によっては、第1のデバイスは、第2のデバイスにデータ接続要求を送信し、その要求または後で送信される別のメッセージの中に、第1のデバイスが第2のデバイスにデータ分割を実行するように要求するという情報を事前に追加することができる。対応して、別のオプションの方法として、第1のデバイスが同時発生機能を有することを知ったとき、第2のデバイスは、事前にデータ分割を実行し、異なる無線リンクを介して第1のデバイスに分割されたデータを配信することができ、このことは本発明によって限定されない。
【０１０６】
第1のデバイスは、第1の3GPPリンクを介して、第2のデバイスにデータ接続要求を送信する。
【０１０７】
S530:データ接続要求を受信した後、第2のデバイスは、第1のデバイスに送信されるべきデータに対してデータ分配を実行する。
【０１０８】
データ分配の実行は、従来技術、たとえば、パケットに応じた分割、またはセッション(session)に応じた分割を使用することができる。第2のデバイスは、パケットに応じて分割されるサービス用の順序追加アクションを実行する必要がある。対応して、分割データを受信した後、第1のデバイスは、データパケットを組み立てるときに順序付けアクションを実行する必要がある。
【０１０９】
第1の3GPPリンクを介して配信されるデータは、順序追加処理が実行された後に直接配信される。たとえば、TCP/IPデータの場合、順序追加処理は、識別情報(identification)フィールドで実行される。
【０１１０】
第2の3GPPリンクを介して配信されるデータの場合、順序追加およびトンネルカプセル化が実行され、データは、トンネルヘッダの外部IPアドレスの宛先アドレスとして、第1のデバイスのWLANのIPアドレスを使用することによって配信される。トンネルカプセル化は、第3のデバイスがデータパケットを転送することができるように、トンネリングプロトコル、たとえばIPinIPプロトコルを使用することによって、トンネル処理を実行することを指す。対応して、第1のデバイスは、トンネルカプセル化が実行されたデータパケットを受信した後、トンネルカプセル化解除を実行する、すなわちトンネルヘッダを廃棄してデータを抽出し、その結果、2つの無線リンクを介して受信されたデータは、順序付けによって組み立てられる。
【０１１１】
S535:第3のデバイスは、第2のデバイスによって送信されたデータを受信し、WLANリンクを介して第1のデバイスに、第1のデバイスに属するデータを転送する。
【０１１２】
第3のデバイスは、トンネリングプロトコルを使用することによって、WLANリンクを介して第1のデバイスに、第1のデバイスに属するデータを転送する。
【０１１３】
S540:第1のデバイスは、第2のデバイスおよび第3のデバイスから別々に受信された分割データを組み立てて、最終データを取得する。
【０１１４】
第3のデバイスによって転送され、トンネルカプセル化が実行された分割データを受信した後、第1のデバイスは、トンネルカプセル化解除を実行し、取得されたデータおよび第2のデバイスから受信されたデータを順序付け、組み立てて、最終データを取得する。
【０１１５】
このようにして、ユーザに割り振られる帯域幅を増大させる目的を達成することができる。本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。特にセル内のエッジユーザの無線リンク品質が高くないとき、データサービスの品質を保証するために、大部分のデータは、無線リンク品質が比較的高いセル内の別のユーザによって転送される場合がある。加えて、異なるセル内のユーザの利用可能な無線帯域幅リソースが制限されるとき、データサービスの品質は、本発明のこの実施形態を使用することによって保証される場合もある。
【０１１６】
図6Aおよび図6Bは、本発明の第3実施形態による、データ分割のアプリケーションシナリオを示す概略図である。第1のデバイス61はUE1であり、第2のデバイス62はRNCであり、第3のデバイス63はUE2であり、第3のデバイスは第1のデバイスのWLANのAPである。
【０１１７】
図6Aでは、第1のデバイスはセルのエッジユーザである。第1のデバイスは、基地局64を経由して第2のデバイスと第1の無線リンク602を確立し、それは3GPPリンクである。第1のデバイスは、第3のデバイスとWLANリンクを確立する。第3のデバイスは、基地局64を経由して第2のデバイスと3GPPリンクを確立する。第1のデバイスは、第3のデバイスと確立されたWLANリンク、および第3のデバイスにより第2のデバイスと確立された3GPPリンクを使用することによって、第2のデバイスと第2の無線リンク603を確立する。
【０１１８】
図6Bでは、第1のデバイスおよび第2のデバイスは、異なるセルに属する。第1のデバイスは、基地局65を経由して第2のデバイスと第1の無線リンク602を確立し、それは3GPPリンクである。第1のデバイスは、第3のデバイスとWLANリンクを確立する。第3のデバイスは、基地局66を経由して第2のデバイスと3GPPリンクを確立する。第1のデバイスは、第3のデバイスと確立されたWLANリンク、および第3のデバイスにより第2のデバイスと確立された3GPPリンクを使用することによって、第2のデバイスと第2の無線リンク603を確立する。
【０１１９】
図6Aおよび図6Bのシナリオでは、第1のデバイスは、第2の無線リンクを介して第2のデバイスにデータ接続要求601を送信することができ、その要求は、分割方式でデータ送信を実行することを第2のデバイスに要求する。次いで、分割されたデータは、第1の無線リンクおよび第2の無線リンク、すなわち図に示された602および603を介して、別々に第1のデバイスに送信される。第1の無線リンクおよび第2の無線リンクは、データ分割に使用される無線リンクである。第1のデバイスは、上記の2つの無線リンクを介して3GPPとWLANの同時発生機能を実行することができ、このことは、第1のデバイスが第2のデバイスおよび第3のデバイスとそれぞれ確立された2つの無線接続を介して、データを同時に受信できるか、または同時に送信できることを意味する。
【０１２０】
図6Aおよび図6Bのアプリケーションシナリオを参照すると、図7は、本発明の第3実施形態による、データ分割方法の概略対話図である。
【０１２１】
S701:第1のデバイスは、第2のデバイスとの無線接続、たとえば3GPPリンクを確立する。
【０１２２】
第1のデバイスは、第2のデバイスを経由してコアネットワークから、第1のデバイスに割り振られた3GPPリンクのIPアドレスを獲得する。上記の3GPPリンクは、本明細書では第1の3GPPリンクとも呼ばれ、図6Aおよび図6Bの602に対応する。
【０１２３】
S705:第1のデバイスは、第3のデバイスとの無線接続、たとえばWLANリンクを確立する。
【０１２４】
この場合、第3のデバイスは、第1のデバイスのモバイルアクセスポイントとしてWLANのAPをセットし、第1のデバイスにWLANリンクのIPアドレスを割り振る。第1のデバイスは、同時に、第3のデバイスのWLANのSSIDを獲得する。
【０１２５】
S710:第1のデバイスは、第3のデバイスから獲得されたWLANリンクのIPアドレスおよび第3のデバイスのWLANのSSIDを第2のデバイスに送信する。
【０１２６】
第1のデバイスは、第1の3GPPリンクを介して、WLANリンクの上記のIPアドレスおよび第3のデバイスのWLANのSSIDを第2のデバイスに送信する。異なるWLANのAPの場合、SSIDはBSSID(Basic SSID、基本サービスセット識別子)またはESSID(Extended SSID、拡張サービスセット識別子)であり得る。第1のデバイスは、限定はしないが上記のパラメータを含む、特定のネットワーク環境に応じたパラメータを報告する。
【０１２７】
WLAN技術の1つの使用事例では、複数の物理デバイスが1つのWLANのAPとして一緒に機能し、この場合、SSIDはESSIDであり、物理デバイスのうちの1つが第1のデバイスにWLANリンクのIPアドレスを割り振る。第2のデバイスは、第1のデバイスのWLANのMACアドレス、WLANリンクのIPアドレス、および第3のデバイスのWLANのESSIDを使用して、どの特定の物理デバイスが第1のデバイスとWLANリンクを確立する第3のデバイスであるかを判定する必要がある。その場合、第1のデバイスおよび第3のデバイスはさらに、第1のデバイスのWLANのMACアドレスを第2のデバイスに個別に送信する必要がある。第3のデバイスが第1のデバイスとWLANリンクを確立したとき、第1のデバイスおよび第3のデバイスは、それらだけで第1のデバイスのWLANのMACアドレスを獲得することができる。
【０１２８】
WLAN技術の別の使用事例では、1つの物理デバイスのみがWLANのAPとして機能し、その物理デバイスのWLANのSSIDはBSSIDである。第2のデバイスは、WLANリンクのIPアドレスおよびBSSIDのみを使用することによって、第3のデバイスを特定する必要がある。
【０１２９】
第1のデバイスは、第1の3GPPリンクを介して、WLANリンクの上記のIPアドレスおよび第3のデバイスのWLANのSSIDなどのパラメータを第2のデバイスに送信する。
【０１３０】
S715:第3のデバイスは、第2のデバイスとの無線接続、たとえば3GPPリンクを確立する。
【０１３１】
この3GPPリンクは、本明細書では第2の3GPPリンクとも呼ばれる。第1のデバイスは、第3のデバイスと確立されたWLANリンク、および第3のデバイスにより第2のデバイスと確立された3GPPリンクを使用することによって、第2のデバイスと第2の無線リンクを確立し、第2の無線リンクは図6Aおよび図6Bの603に対応する。
【０１３２】
S720:第3のデバイスは、第3のデバイスのWLANのSSID(BSSID/ESSID)を第2のデバイスに送信し、第1のデバイスのWLANリンクのIPアドレスと第2の3GPPリンクとの間の対応関係を確立する。
【０１３３】
WLANのAPとして機能するデバイス(たとえば、第3のデバイス)は、あるデバイス(たとえば、第2のデバイス)からのデータ/要求を、別のデバイス(たとえば、第1のデバイス)に転送することができる。WLANのAPとして機能する第3のデバイスによって確立された対応関係では、第1のデバイスのWLANリンクのIPアドレスは、第2の3GPPリンクに関連付けられる。このようにして、WLANのAPとして機能する第3のデバイスは、第1のデバイスからの要求を第2のデバイスに送信することができるか、または第2のデバイスからの分割データを第1のデバイスに送信することができる。
【０１３４】
S722:第2のデバイスは、データ分割に使用されるべき無線リンクを特定する。
【０１３５】
第2のデバイスは、S710で、第1のデバイスのWLANリンクのIPアドレスおよび第3のデバイスのWLANのSSIDを知り、S720で、第3のデバイスのWLANのSSIDを知る。第3のデバイスのWLANのSSIDは一致しており、その結果、第2のデバイスは、第1のデバイスが第3のデバイスとWLANリンクを確立していると結論付ける。次いで、第2のデバイスは、第2のデバイス自体が、第1のデバイスおよび第3のデバイスと、それぞれ第1の3GPPリンクおよび第2の3GPPリンクを確立しているという事実をさらに考慮して、データ分割用に第1のデバイスに割り振られるべき無線リンク、すなわち図面のリンク602およびリンク603を特定する。
【０１３６】
S725:第1のデバイスは、第2のデバイスがデータ分配を実行するように、WLANリンクおよび第2の3GPPリンク上の第3のデバイスを経由して、第2のデバイスにデータ接続要求を送信する。
【０１３７】
データ接続要求は、図6Aおよび図6Bの601に対応する。場合によっては、第1のデバイスは、第2のデバイスにデータ接続要求を送信し、その要求または後で送信される別のメッセージの中に、第1のデバイスが第2のデバイスにデータ分割を実行するように要求するという情報を事前に追加することができる。対応して、別のオプションの方法として、第1のデバイスが同時発生機能を有することを知ったとき、第2のデバイスは、事前にデータ分割を実行し、異なる無線リンクを介して第1のデバイスに分割されたデータを配信することができ、このことは本発明によって限定されない。
【０１３８】
第3のデバイスは、第1のデバイスのWLANリンクのIPアドレスと第2の3GPPリンクとの間の対応関係に従って、第2のデバイスにデータ接続要求を転送する。
【０１３９】
S730:第2のデバイスがデータ接続要求を受信した後、第2のデバイスは、データ分配を実行し、第1のデバイスの3GPPリンクおよび第3のデバイスの3GPPリンクを介して、別々にデータを配信する。
【０１４０】
第1のデバイスに送信されるダウンリンクデータの一部分は、データが第2のデバイスの第1の3GPPリンクを介して配信される前に、順序追加を実行される。第1のデバイスに送信されるダウンリンクデータの他の部分は、データが第2のデバイスの第2の3GPPリンクを介して配信される前に、以下の処理、すなわち、順序の追加、配信されるパケットの宛先アドレスの、第1のデバイスのWLANリンクのIPアドレスへの変更、および宛先ポートの第1のデバイスがそこからサービスを開始するWLANポートへの変更を実行される。
【０１４１】
S735:第3のデバイスは、第2のデバイスによって送信されたデータを受信し、対応関係に従って、WLANリンクを介して第1のデバイスに、第1のデバイスに属するデータを送信する。
【０１４２】
第3のデバイスは、WLANリンクを介して第1のデバイスに分割データを送信するために、対応関係に従って、第1のデータに送信される分割データを識別することができる。
S740:第1のデバイスは、第2のデバイスおよび第3のデバイスから別々に受信された分割データを順序付け、組み立てて、最終データを取得する。
【０１４３】
このようにして、ユーザに割り振られる帯域幅を増大させる目的を達成することができる。本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。特にセル内のエッジユーザの無線リンク品質が高くないとき、データサービスの品質を保証するために、大部分のデータは、無線リンク品質が比較的高いセル内の別のユーザによって転送される場合がある。加えて、異なるセル内のユーザの利用可能な無線帯域幅リソースが制限されるとき、データサービスの品質は、本発明のこの実施形態を使用することによって保証される場合もある。
【０１４４】
本発明のこの実施形態における分割戦略は、従来技術、たとえば、パケットに応じた分割、またはセッション(session)に応じた分割を使用することができる。第2のデバイスは、パケットに応じて分割されるサービス用の順序追加アクションを実行する必要がある。対応して、分割データを受信した後、第1のデバイスは、データパケットを組み立てるときに順序付けアクションを実行する必要がある。
【０１４５】
図8Aは、本発明の第4実施形態による、データ分割用の第1のデバイス80を示す概略的なブロック図である。第1のデバイス80は、送信ユニット81および受信ユニット82を含む。
【０１４６】
送信ユニット81は、第2のデバイスがデータ分割を実行するように第2のデバイスにデータ接続要求を送信する。
【０１４７】
受信ユニット82は、複数の無線リンク内の少なくとも2つの無線リンクを介して、データ接続要求に従って第2のデバイスによって送信された分割データを受信し、デバイスは、第3のデバイスを経由して、第2のデバイスと2つの無線リンクのうちの1つのリンクを確立し、複数の無線リンク内の少なくとも2つの無線リンクは、異なる無線プロトコルを使用することによって確立された2つの無線リンクを含む。
【０１４８】
本発明のこの実施形態によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【０１４９】
場合によっては、異なる実施形態では、図8Bを参照すると、第1のデバイス80は、第1のリンク確立ユニット83、第2のリンク確立ユニット84、および組合せユニット85をさらに含む場合がある。
【０１５０】
場合によっては、異なる実施形態として、第1のリンク確立ユニット83は、第3のデバイスとワイヤレスローカルエリアネットワークWLANリンクを確立し、第2のリンク確立ユニット84は、第2のデバイスと第1の第3世代パートナーシッププロジェクト3GPPリンクを確立し、第2のデバイスは第3のデバイスと第2の3GPPリンクを確立する。
【０１５１】
場合によっては、異なる実施形態として、受信ユニットはさらに、第3のデバイスから、第1のデバイスのWLANリンクの割り振られたIPアドレス、および第3のデバイスのWLANのSSIDを獲得するように構成される。
【０１５２】
場合によっては、異なる実施形態として、送信ユニット81はさらに、第1の3GPPリンクを介して第2のデバイスにデータリンク要求を送信する。
【０１５３】
場合によっては、異なる実施形態として、送信ユニット81はさらに、第1のデバイスのWLANリンクのIPアドレスおよび第3のデバイスのWLANのSSIDを第2のデバイスに送信する。
【０１５４】
場合によっては、異なる実施形態として、組合せユニット85は、受信ユニットによって受信され、第2の3GPPリンクおよびWLANリンクを介して第3のデバイスによって転送された分割データに対して、トンネルカプセル化解除を実行し、トンネルカプセル化解除が実行された後の受信された分割データ、および第1の3GPPリンクを通るべき分割データに対して、順序付けおよび組合せを実行して最終データを取得する。
【０１５５】
組合せユニット85は、パケットに応じて分割されたサービスに対して順序付けを実行する必要がある。したがって、トンネルカプセル化解除、順序付け、および組合せのアクションを実行するために、組合せユニット85は、トンネルカプセル化解除モジュール、順序付けモジュール、および組合せモジュールを含む場合がある。
【０１５６】
場合によっては、異なる実施形態として、送信ユニット81は、第3のデバイスと確立されたWLANリンクを介して、第3のデバイスを経由して第2のデバイスにデータリンク要求を送信する。
【０１５７】
場合によっては、異なる実施形態として、送信ユニット81は、第1のデバイスのWLANリンクのIPアドレスおよび第3のデバイスのWLANのSSIDを第2のデバイスに送信する。
【０１５８】
場合によっては、異なる実施形態として、組合せユニット85は、受信ユニットによって受信され、第2の3GPPリンクおよびWLANリンクを介して第3のデバイスによって転送された分割データ、ならびに第1の3GPPリンクを通るべき分割データに対して、順序付けおよび組合せを実行して最終データを取得する。
【０１５９】
組合せユニット85は、パケットに応じて分割されたサービスに対して順序付けを実行する必要がある。したがって、順序付けおよび組合せのアクションを実行するために、組合せユニット85は、順序付けモジュールおよび組合せモジュールを含む場合がある。
【０１６０】
場合によっては、異なる実施形態として、送信ユニット81はさらに、第2のデバイスにシグナリングを送信し、シグナリングは、デバイスがデータ同時発生機能をサポートすることを示すために使用される。
【０１６１】
このようにして、ユーザに割り振られる帯域幅を増大させる目的を達成することができる。本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。特にセル内のエッジユーザの無線リンク品質が高くないとき、データサービスの品質を保証するために、大部分のデータは、無線リンク品質が比較的高いセル内の別のユーザによって転送される場合がある。加えて、異なるセル内のユーザの利用可能な無線帯域幅リソースが制限されるとき、データサービスの品質は、本発明のこの実施形態を使用することによって保証される場合もある。
【０１６２】
図9Aおよび図9Bは、本発明の第5実施形態による、データ分割用の第2のデバイス90を示す概略的なブロック図である。第2のデバイス90は、受信ユニット91および送信ユニット92を含む。
【０１６３】
受信ユニット91は、第1のデバイスによって送信されたデータ接続要求を受信する。
【０１６４】
送信ユニット92は、受信ユニット91によって受信されたデータ接続要求に従って、第1のデバイスと確立された複数の無線リンク内の少なくとも2つの無線リンクを介して、第1のデバイスに分割データを送信し、複数の無線リンク内の少なくとも2つの無線リンクは、異なる無線プロトコルを使用することによって確立された2つの無線リンクを含み、複数の無線リンク内の少なくとも2つの無線リンクのうちの1つの無線リンクは、第1のデバイスにより、第3のデバイスを経由して第2のデバイスと確立される。
【０１６５】
本発明のこの実施形態によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【０１６６】
場合によっては、異なる実施形態では、図9Bを参照すると、第2のデバイス90は、第1のリンク確立ユニット93、第2のリンク確立ユニット94、および分配ユニット95をさらに含む場合がある。
【０１６７】
場合によっては、異なる実施形態として、複数の無線リンク内の少なくとも2つの無線リンクは、ワイヤレスローカルエリアネットワーク(WLAN)リンクおよび第3世代パートナーシッププロジェクト(3GPP)リンクを含む。
【０１６８】
第1のリンク確立ユニット93は、第1のデバイスと第1の3GPPリンクを確立する。
【０１６９】
第2のリンク確立ユニット94は、第3のデバイスと第2の3GPPリンクを確立する。第1のデバイスは、第3のデバイスとWLANリンクを確立し、第3のデバイスから、第1のデバイスのWLANリンクの割り振られたIPアドレス、および第3のデバイスのWLANのSSIDを獲得する。
【０１７０】
場合によっては、異なる実施形態として、受信ユニット91はさらに、第1の3GPPリンクを介して第1のデバイスによって送信された第1のデバイスのWLANリンクのIPアドレスおよび第3のデバイスのWLANのSSIDを受信し、さらに、第2の3GPPリンクを介して第3のデバイスによって送信された第3のデバイスのWLANのSSIDを受信し、送信ユニット92はさらに、第1のデバイスおよび第3のデバイスによって送信された第3のデバイスのWLANのSSIDの間の対応関係に従って、データ分割に使用されるべき無線リンクを特定する。
【０１７１】
場合によっては、異なる実施形態として、分配ユニット95は、第2の3GPPリンクおよびWLANリンクを介して第3のデバイスによって転送されるべき分割データに対して、順序追加およびトンネルカプセル化を実行し、送信ユニットは、WLANリンクのIPアドレスを宛先IPアドレスとして使用することによって分割データを配信し、分配ユニット95は、第1の3GPPリンクを通るべき分割データに対して順序追加を実行し、送信ユニット92は、分割データを配信する。
【０１７２】
順序追加、トンネルカプセル化、および分配のアクションを実行するために、一実施形態として、分配ユニット95は、順序追加モジュール、トンネルカプセル化モジュール、および分配モジュールを含む場合がある。
【０１７３】
場合によっては、異なる実施形態として、受信ユニット91はさらに、第1の3GPPリンクを介して第1のデバイスによって送信された第1のデバイスのWLANリンクのIPアドレスおよび第3のデバイスのWLANのSSID、ならびにWLANリンクを介してサービスを確立するために使用されるWLANポート番号を受信し、第2の3GPPリンクを介して第3のデバイスによって送信された第3のデバイスのWLANのSSIDを受信するように構成され、送信ユニット92は、第1のデバイスおよび第3のデバイスによって送信された第3のデバイスのWLANのSSIDの間の対応関係に従って、データ分割に使用されるべき無線リンクを特定する。
【０１７４】
場合によっては、異なる実施形態として、分配ユニット95は、第1の3GPPリンクを通るべき分割データに対して順序追加を実行し、宛先IPアドレスをWLANリンクのIPアドレスに変更し、送信ユニットは、WLANリンクを介してサービスを確立するために使用されるWLANポート番号をポートとして使用することによって第1のデバイスに分割データを送信し、送信ユニット92は、WLANリンクを介して第3のデバイスを経由して、第2の3GPPリンクを通るべき分割データを第1のデバイスに送信する。
【０１７５】
順序追加および分配のアクションを実行するために、一実施形態として、分配ユニット95は、順序追加モジュールおよび分配モジュールを含む場合がある。
【０１７６】
このようにして、ユーザに割り振られる帯域幅を増大させる目的を達成することができる。本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。特にセル内のエッジユーザの無線リンク品質が高くないとき、データサービスの品質を保証するために、大部分のデータは、無線リンク品質が比較的高いセル内の別のユーザによって転送される場合がある。加えて、異なるセル内のユーザの利用可能な無線帯域幅リソースが制限されるとき、データサービスの品質は、本発明のこの実施形態を使用することによって保証される場合もある。
【０１７７】
図10は、本発明の第6実施形態による、データ分割用の第3のデバイス100を示す概略的なブロック図である。第3のデバイス100は、受信ユニット1001および送信ユニット1002を含む。
【０１７８】
受信ユニット1001は、第3のデバイスと第2のデバイスとの間に確立された無線リンクを介して、第1のデバイスによって送信されたデータ接続要求に従って第2のデバイスによって送信された分割データを受信する。
【０１７９】
送信ユニット1002は、第3のデバイスと第1のデバイスとの間に確立された無線リンクを介して、受信ユニット1001によって受信された分割データを第1のデバイスに送信し、第3のデバイスと第2のデバイスとの間に確立された無線リンク、および第3のデバイスと第1のデバイスとの間に確立された無線リンクは、異なるプロトコルを使用することによって確立された2つの無線リンクである。
【０１８０】
本発明のこの実施形態によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【０１８１】
場合によっては、複数の無線リンク内の少なくとも2つの無線リンクは、ワイヤレスローカルエリアネットワーク(WLAN)リンクおよび第3世代パートナーシッププロジェクト(3GPP)リンクを含む。
【０１８２】
場合によっては、異なる実施形態では、図10Bに示されたように、デバイスは、第1のリンク確立ユニット1003、第2のリンク確立ユニット1004、および関連付けユニット1005をさらに含む。
【０１８３】
場合によっては、異なる実施形態として、第1のリンク確立ユニット1003は、第1のデバイスとワイヤレスローカルエリアネットワークWLANリンクを確立する。
【０１８４】
場合によっては、異なる実施形態として、第2のリンク確立ユニット1004は、第2のデバイスと第2の第3世代パートナーシッププロジェクト3GPPリンクを確立する。
【０１８５】
場合によっては、異なる実施形態として、送信ユニット1002はさらに、第1のデバイスのWLANリンクの割り振られたIPアドレスおよびデバイスのWLANのSSIDを第1のデバイスに送信する。
【０１８６】
場合によっては、異なる実施形態として、送信ユニット1002はさらに、第2の3GPPリンクを介して第2のデバイスに第3のデバイスのWLANのSSIDを送信するか、またはさらに、第2の3GPPリンクを介して第2のデバイスに第3のデバイスのWLANのSSIDを送信し、関連付けユニット1005は、第1のデバイスのWLANリンクのIPアドレスと第2の3GPPリンクとの間の対応関係を確立するように構成される。
【０１８７】
場合によっては、異なる実施形態として、送信ユニット1002はさらに、対応関係に従い、第2の3GPPリンクを介して、WLANリンクを介して第2のデバイスに第1のデバイスによって送信されたデータ接続要求を転送する。
【０１８８】
場合によっては、異なる実施形態として、受信ユニット1001はさらに、第1のデバイスによって送信されたデータ接続要求に基づいて第2のデバイスによって送信された分割データを受信し、送信ユニットは、WLANリンクを介して第1のデバイスに分割データを転送するか、または受信ユニット1001はさらに、第1のデバイスによって送信されたデータ接続要求に基づいて第2のデバイスによって送信された分割データを受信し、送信ユニットは、対応関係に従ってWLANリンクを介して第1のデバイスに分割データを送信する。
【０１８９】
このようにして、ユーザに割り振られる帯域幅を増大させる目的を達成することができる。本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。特にセル内のエッジユーザの無線リンク品質が高くないとき、データサービスの品質を保証するために、大部分のデータは、無線リンク品質が比較的高いセル内の別のユーザによって転送される場合がある。加えて、異なるセル内のユーザの利用可能な無線帯域幅リソースが制限されるとき、データサービスの品質は、本発明のこの実施形態を使用することによって保証される場合もある。
【０１９０】
本発明の一実施形態における通信システムは、上記の第4実施形態から第6実施形態までの任意のデバイスを含む場合がある。
【０１９１】
図11は、本発明の第7実施形態による、データ分割の第1のデバイス110の概略的なブロック図である。第1のデバイス110は、送信装置1101、受信装置1102、プロセッサ1103、およびメモリ1104を含む。
【０１９２】
プロセッサ1103は、データ接続要求を生成し、送信装置1101にデータ接続要求を送信するように構成される。
【０１９３】
送信装置1101は、第2のデバイスがデータ分割を実行するように第2のデバイスにデータ接続要求を送信する。
【０１９４】
受信装置1102は、複数の無線リンク内の少なくとも2つの無線リンクを介して、送信装置1101によって送信されたデータ接続要求に従って第2のデバイスによって送信された分割データを受信し、受信された分割データを処理用のプロセッサ1103に送信する。
【０１９５】
第1のデバイスは、第3のデバイスを経由して、第2のデバイスと2つの無線リンクのうちの1つのリンクを確立し、複数の無線リンク内の少なくとも2つの無線リンクは、異なる無線プロトコルを使用することによって確立された2つの無線リンクを含む。
【０１９６】
プロセッサ1103は、送信装置1101および受信装置1102に命令を送信して、上記の動作を実行する。メモリ1104は、バスシステムを使用することによってプロセッサに接続され、上記の動作を実行するようにプロセッサ1103に命令する命令、中間結果、または関連データを記憶するように構成される。
【０１９７】
本発明のこの実施形態によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【０１９８】
場合によっては、異なる実施形態では、第1のデバイスに割り振られた複数の無線リンク内の少なくとも2つの無線リンクは、ワイヤレスローカルエリアネットワーク(WLAN)リンクおよび第3世代パートナーシッププロジェクト(3GPP)リンクを含む。
【０１９９】
プロセッサ1103はさらに、第3のデバイスとWLANリンクを確立する。
【０２００】
プロセッサ1103はさらに、第2のデバイスと第1の3GPPリンクを確立し、第2のデバイスは第3のデバイスと第2の3GPPリンクを確立する。
【０２０１】
場合によっては、異なる実施形態として、受信装置1102はさらに、第3のデバイスから、第1のデバイスのWLANリンクの割り振られたIPアドレスおよび第3のデバイスのWLANのSSIDを獲得する。
【０２０２】
場合によっては、異なる実施形態として、送信装置1101はさらに、第1の3GPPリンクを介して第2のデバイスにデータリンク要求を送信する。
【０２０３】
場合によっては、異なる実施形態として、送信装置1101はさらに、第1のデバイスのWLANリンクのIPアドレスおよび第3のデバイスのWLANのSSIDを第2のデバイスに送信する。
【０２０４】
場合によっては、異なる実施形態として、プロセッサ1103はさらに、受信装置1102によって受信され、第2の3GPPリンクおよびWLANリンクを介して第3のデバイスによって転送された分割データに対して、トンネルカプセル化解除を実行し、トンネルカプセル化解除が実行された後の受信された分割データ、および第1の3GPPリンクを通るべき分割データに対して、順序付けおよび組合せを実行して最終データを取得する。
【０２０５】
場合によっては、異なる実施形態として、送信装置1101はさらに、第3のデバイスと確立されたWLANリンクを介して、第3のデバイスを経由して第2のデバイスにデータリンク要求を送信する。
【０２０６】
場合によっては、異なる実施形態として、送信装置1101はさらに、第1のデバイスのWLANリンクのIPアドレスおよび第3のデバイスのWLANのSSIDを第2のデバイスに送信する。
【０２０７】
場合によっては、異なる実施形態として、プロセッサ1103はさらに、受信装置によって受信され、第2の3GPPリンクおよびWLANリンクを介して第3のデバイスによって転送された分割データ、ならびに第1の3GPPリンクを通るべき分割データに対して、順序付けおよび組合せを実行して最終データを取得する。
【０２０８】
場合によっては、異なる実施形態として、送信装置1101はさらに、第2のデバイスにシグナリングを送信し、シグナリングは、デバイスがデータ同時発生機能をサポートすることを示す。
【０２０９】
このようにして、ユーザに割り振られる帯域幅を増大させる目的を達成することができる。本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。特にセル内のエッジユーザの無線リンク品質が高くないとき、データサービスの品質を保証するために、大部分のデータは、無線リンク品質が比較的高いセル内の別のユーザによって転送される場合がある。加えて、異なるセル内のユーザの利用可能な無線帯域幅リソースが制限されるとき、データサービスの品質は、本発明のこの実施形態を使用することによって保証される場合もある。
【０２１０】
図12は、本発明の第8実施形態による、データ分割用の第2のデバイス120を示す概略的なブロック図である。第2のデバイス120は、受信装置1201、送信装置1202、プロセッサ1203、およびメモリ1204を含む。
【０２１１】
受信装置1201は、第1のデバイスによって送信されたデータ接続要求を受信し、プロセッサ1203にデータ接続要求を送信する。
【０２１２】
プロセッサ1203は、受信装置1201によって受信されたデータ接続要求に従って、第1のデバイスと確立された複数の無線リンク内の少なくとも2つの無線リンクを介して、第1のデバイスに分割データを送信するように送信装置1202に命令し、複数の無線リンク内の少なくとも2つの無線リンクは、異なる無線プロトコルを使用することによって確立された2つの無線リンクを含み、複数の無線リンク内の少なくとも2つの無線リンクのうちの1つの無線リンクは、第1のデバイスにより、第3のデバイスを経由して第2のデバイスと確立される。
【０２１３】
プロセッサ1203は、送信装置1201および受信装置1202に命令を送信して、上記の動作を実行する。メモリ1204は、バスシステムを使用することによってプロセッサに接続され、上記の動作を実行するようにプロセッサ1203に命令する命令、中間結果、または関連データを記憶するように構成される。
【０２１４】
本発明のこの実施形態によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【０２１５】
場合によっては、異なる実施形態として、第2のデバイスに割り振られた複数の無線リンク内の少なくとも2つの無線リンクは、ワイヤレスローカルエリアネットワーク(WLAN)リンクおよび第3世代パートナーシッププロジェクト(3GPP)リンクを含む。
【０２１６】
プロセッサ1204はさらに、第1のデバイスと第1の3GPPリンクを確立し、さらに、第3のデバイスと第2の3GPPリンクを確立し、第1のデバイスは、第3のデバイスとWLANリンクを確立し、第3のデバイスから、第1のデバイスのWLANリンクの割り振られたIPアドレス、および第3のデバイスのWLANのSSIDを獲得する。
【０２１７】
場合によっては、異なる実施形態として、受信装置1201はさらに、第1の3GPPリンクを介して第1のデバイスによって送信された第1のデバイスのWLANリンクのIPアドレスおよび第3のデバイスのWLANのSSIDを受信し、さらに、第2の3GPPリンクを介して第3のデバイスによって送信された第3のデバイスのWLANのSSIDを受信し、プロセッサ1203はさらに、第1のデバイスおよび第3のデバイスによって送信された第3のデバイスのWLANのSSIDの間の対応関係に従って、データ分割に使用されるべき無線リンクを特定する。
【０２１８】
場合によっては、異なる実施形態として、プロセッサ1203はさらに、第2の3GPPリンクおよびWLANリンクを介して第3のデバイスによって転送されるべき分割データに対して、順序追加およびトンネルカプセル化を実行し、送信装置1202は、WLANリンクのIPアドレスを宛先IPアドレスとして使用することによって分割データを配信し、プロセッサ1203は、第1の3GPPリンクを通るべき分割データに対して順序追加を実行し、送信装置1202は、分割データを配信する。
【０２１９】
場合によっては、異なる実施形態として、受信装置1201はさらに、第1の3GPPリンクを介して第1のデバイスによって送信された第1のデバイスのWLANリンクのIPアドレスおよび第3のデバイスのWLANのSSID、ならびにWLANリンクを介してサービスを確立するために使用されるWLANポート番号を受信し、第2の3GPPリンクを介して第3のデバイスによって送信された第3のデバイスのWLANのSSIDを受信し、プロセッサ1203は、第1のデバイスおよび第3のデバイスによって送信された第3のデバイスのWLANのSSIDの間の対応関係に従って、データ分割に使用されるべき無線リンクを特定する。
【０２２０】
場合によっては、異なる実施形態として、プロセッサ1203はさらに、第1の3GPPリンクを通るべき分割データに対して順序追加を実行し、宛先IPアドレスをWLANリンクのIPアドレスに変更し、送信装置1202は、WLANリンクを介してサービスを確立するために使用されるWLANポート番号をポートとして使用することによって、第1のデバイスに分割データを送信し、WLANリンクを介して第3のデバイスを経由して、第2の3GPPリンクを通るべき分割データを第1のデバイスに送信する。
【０２２１】
このようにして、ユーザに割り振られる帯域幅を増大させる目的を達成することができる。本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。特にセル内のエッジユーザの無線リンク品質が高くないとき、データサービスの品質を保証するために、大部分のデータは、無線リンク品質が比較的高いセル内の別のユーザによって転送される場合がある。加えて、異なるセル内のユーザの利用可能な無線帯域幅リソースが制限されるとき、データサービスの品質は、本発明のこの実施形態を使用することによって保証される場合もある。
【０２２２】
図13は、本発明の第9実施形態による、データ分割用の第3のデバイス130を示す概略的なブロック図である。第3のデバイス130は、受信装置1301、送信装置1302、プロセッサ1303、およびメモリ1304を含む。
【０２２３】
受信装置1301は、第3のデバイスと第2のデバイスとの間に確立された無線リンクを介して、第1のデバイスによって送信されたデータ接続要求に従って第2のデバイスによって送信された分割データを受信し、プロセッサ1303に分割データを送信する。
【０２２４】
プロセッサ1303は、第3のデバイスと第1のデバイスとの間に確立された無線リンクを介して、受信装置1301によって受信された分割データを第1のデバイスに送信するように送信装置1302に命令し、第3のデバイスと第2のデバイスとの間に確立された無線リンク、および第3のデバイスと第1のデバイスとの間に確立された無線リンクは、異なるプロトコルを使用することによって確立された2つの無線リンクである。
【０２２５】
プロセッサ1303は、受信装置1301および送信装置1302に命令を送信して、上記の動作を実行する。メモリ1304は、バスシステムを使用することによってプロセッサに接続され、上記の動作を実行するようにプロセッサ1303に命令する命令、中間結果、または関連データを記憶するように構成される。
【０２２６】
本発明のこの実施形態によれば、ダウンリンクデータは、分割方式で異なる無線リンクを介してユーザ機器に送信することができ、それによってユーザに割り振られるダウンリンク帯域幅が増大し、データサービスとのユーザ体験が改善される。
【０２２７】
場合によっては、異なる実施形態として、プロセッサ1303はさらに、第1のデバイスとワイヤレスローカルエリアネットワークWLANリンクを確立し、さらに、第2のデバイスと第2の第3世代パートナーシッププロジェクト3GPPリンクを確立する。
【０２２８】
場合によっては、異なる実施形態として、送信装置1302はさらに、第1のデバイスのWLANリンクの割り振られたIPアドレスおよびデバイスのWLANのSSIDを第1のデバイスに送信する。
【０２２９】
場合によっては、異なる実施形態として、送信装置1302はさらに、第2の3GPPリンクを介して第2のデバイスに第3のデバイスのWLANのSSIDを送信するか、またはさらに、第2の3GPPリンクを介して第2のデバイスに第3のデバイスのWLANのSSIDを送信し、プロセッサは、第1のデバイスのWLANリンクのIPアドレスと第2の3GPPリンクとの間の対応関係を確立する。
【０２３０】
場合によっては、異なる実施形態として、プロセッサ1303はさらに、対応関係に従い、第2の3GPPリンクを介して、WLANリンクを介して第2のデバイスに第1のデバイスによって送信されたデータ接続要求を転送するように送信装置1302に命令する。
【０２３１】
場合によっては、異なる実施形態として、受信装置1301はさらに、第1のデバイスによって送信されたデータ接続要求に基づいて第2のデバイスによって送信された分割データを受信し、プロセッサ1303は、WLANリンクを介して第1のデバイスに分割データを転送するように送信装置1302に命令するか、または受信装置1301はさらに、第1のデバイスによって送信されたデータ接続要求に基づいて第2のデバイスによって送信された分割データを受信し、プロセッサ1303は、対応関係に従ってWLANリンクを介して第1のデバイスに分割データを送信する。
【０２３２】
このようにして、ユーザに割り振られる帯域幅を増大させる目的を達成することができる。本発明の技術は、移動可能なWLANのAPに基づく分割実装ソリューションを提供する。このソリューションを実装することによって、同じセルのエッジに割り振られたユーザは、より多くのダウンリンク帯域幅を使用することができ、異なるセル内のユーザの場合、3GPPとWLANの同時発生も、端末のユーザに割り振られるダウンリンク帯域幅を増大させることができる。一方、独立した3GPPサービスは影響を受けない。特にセル内のエッジユーザの無線リンク品質が高くないとき、データサービスの品質を保証するために、大部分のデータは、無線リンク品質が比較的高いセル内の別のユーザによって転送される場合がある。加えて、異なるセル内のユーザの利用可能な無線帯域幅リソースが制限されるとき、データサービスの品質は、本発明のこの実施形態を使用することによって保証される場合もある。
【０２３３】
本発明の一実施形態における通信システムは、上記の第7実施形態から第9実施形態までの任意のデバイスを含む場合がある。
【０２３４】
本明細書で開示された実施形態に記載された例と組み合わせて、電子ハードウェア、またはコンピュータソフトウェアと電子ハードウェアとの組合せによって、ユニットおよびアルゴリズムステップが実装され得ることを、当業者は認識することができる。機能がハードウェアによって実行されるか、またはソフトウェアによって実行されるかは、特定の適用例および技術的解決策の設計制約条件に依存する。当業者は、様々な方法を使用して、特定の適用例ごとに記載された機能を実装することができ、実装形態は本発明の範囲を超えるものとして見なされるべきではない。
【０２３５】
便利で簡潔な説明の目的で、上記のシステム、装置、およびユニットの詳細な動作プロセスについて、上記の方法の実施形態における対応するプロセスを参照することができ、詳細は本明細書に再び記載されないことは、当業者によって明確に理解することができる。
【０２３６】
本出願で提供されたいくつかの実施形態では、開示されたシステム、装置、および方法が他の方式で実装され得ることを理解されたい。たとえば、記載された装置の実施形態は例示にすぎない。たとえば、ユニット分割は、論理機能の分割にすぎず、実際の実装形態では他の分割であってよい。たとえば、複数のユニットまたは構成要素は、組み合わされるか、または別のシステムの中に統合される場合があり、いくつかの特徴は、無視されるか、または実行されない場合がある。加えて、表示または説明された相互結合または直接結合または通信接続は、いくつかのインターフェースを介して実装される場合がある。装置間またはユニット間の間接結合または通信接続は、電子的に、機械的に、または他の形態で実装される場合がある。
【０２３７】
別々の部分として記載されたユニットは、物理的に別々であってもなくてもよく、ユニットとして表示された部分は、物理的なユニットであってもなくてもよく、1つの場所に位置する場合があり、または複数のネットワークユニットに分散される場合がある。ユニットの一部またはすべては、実施形態のソリューションの目的を達成するために、実際のニーズに応じて選択される場合がある。
【０２３８】
加えて、本発明の実施形態における機能ユニットは、1つの処理ユニットの中に統合される場合があり、またはユニットの各々が物理的に単独で存在する場合があり、または2つ以上のユニットが1つのユニットの中に統合される場合がある。
【０２３９】
機能がソフトウェア機能ユニットの形態で実装され、独立した製品として販売または使用されるとき、機能は、コンピュータ可読記憶媒体に記憶される場合がある。そのような理解に基づいて、本発明の技術的解決策は本質的に、従来技術に寄与する部分または技術的解決策の一部分はソフトウェア製品の形態で実装される場合がある。ソフトウェア製品は、記憶媒体に記憶され、(パーソナルコンピュータ、サーバ、またはネットワークデバイスであり得る)コンピュータデバイスに命令して、本発明の実施形態に記載された方法のステップの全部または一部を実行するためのいくつかの命令を含む。上記の記憶媒体には、USBフラッシュドライブ、移動可能ハードディスク、読取り専用メモリ(ROM、Read-Only Memory)、ランダムアクセスメモリ(RAM、Random Access Memory)、磁気ディスク、または光ディスクなどの、プログラムコードを記憶することができる任意の媒体が含まれる。
【０２４０】
上記の説明は、本発明の特定の実装形態にすぎず、本発明の保護範囲を限定するものではない。本発明で開示された技術的な範囲内で、当業者によって容易に考え出される任意の変形形態または交換は、本発明の保護範囲内に入るべきである。したがって、本発明の保護範囲は、特許請求の範囲の保護範囲に従うべきである。
【符号の説明】
【０２４１】
41  第1のデバイス(UE1)
42  第2のデバイス(RNC)
43  第3のデバイス(UE2)
44，45，46  基地局
401  データ接続要求
402  第1の無線リンク(3GPPリンク)
403  第2の無線リンク
61  第1のデバイス(UE1)
62  第2のデバイス(RNC)
63  第3のデバイス(UE2)
64，65，66  基地局
601  データ接続要求
602  第1の無線リンク(3GPPリンク)
603  第2の無線リンク
80  データ分割用の第1のデバイス
81  送信ユニット
82  受信ユニット
83  第1のリンク確立ユニット
84  第2のリンク確立ユニット
85  組合せユニット
90  データ分割用の第2のデバイス
91  受信ユニット
92  送信ユニット
93  第1のリンク確立ユニット
94  第2のリンク確立ユニット
95  分配ユニット
100  データ分割用の第3のデバイス
1001  受信ユニット
1002  送信ユニット
1003  第1のリンク確立ユニット
1004  第2のリンク確立ユニット
1005  分配ユニット
110  データ分割の第1のデバイス
1101  送信装置
1102  受信装置
1103  プロセッサ
1104  メモリ
120  データ分割の第2のデバイス
1201  受信装置
1202  送信装置
1203  プロセッサ
1204  メモリ
130  データ分割の第2のデバイス
1301  受信装置
1302  送信装置
1303  プロセッサ
1304  メモリ
【図１】
0006028292.tif 000002
【図２】
0006028292.tif 000003
【図３】
0006028292.tif 000004
【図４Ａ】
0006028292.tif 000005
【図４Ｂ】
0006028292.tif 000006
【図５】
0006028292.tif 000007
【図６Ａ】
0006028292.tif 000008
【図６Ｂ】
0006028292.tif 000009
【図７】
0006028292.tif 000010
【図８Ａ】
0006028292.tif 000011
【図８Ｂ】
0006028292.tif 000012
【図９Ａ】
0006028292.tif 000013
【図９Ｂ】
0006028292.tif 000014
【図１０Ａ】
0006028292.tif 000015
【図１０Ｂ】
0006028292.tif 000016
【図１１】
0006028292.tif 000017
【図１２】
0006028292.tif 000018
【図１３】
0006028292.tif 000019